【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
画像形成装置による用紙上への印刷の制御を行う印刷制御プログラムであって、
コンピュータに、
印刷データを複数に分割したデータであって、それぞれに属性情報が付与された切片印刷データを取得するステップと、
前記切片印刷データを記憶するステップと、
前記切片印刷データの属性情報を照合するステップと、
前記照合により前記属性情報が一致した切片印刷データに基づいて印刷データを復元するステップと、
前記復元された印刷データに基づく前記画像形成装置による印刷の制御を行うステップと、
を実行させ、
前記復元は、前記分割された切片印刷データの全てが揃ったときに行われることを特徴とする印刷制御プログラム。
【請求項２】
画像形成装置による用紙上への印刷の制御を行う印刷制御装置であって、
印刷データを複数に分割したデータであって、それぞれに属性情報が付与された切片印刷データを取得する手段と、
前記切片印刷データを記憶する手段と、
前記切片印刷データの属性情報を照合する手段と、
前記照合により前記属性情報が一致した切片印刷データに基づいて印刷データを復元する手段と、
前記復元された印刷データに基づく前記画像形成装置による印刷の制御を行う手段と、
を有し、
前記復元は、前記分割された切片印刷データの全てが揃ったときに行われることを特徴とする印刷制御装置。
【請求項３】
少なくとも１つの情報処理装置と、少なくとも１つの印刷制御装置と、少なくとも１つの画像形成装置とを含み、前記画像形成装置による用紙上への印刷の制御を行う印刷制御システムであって、
前記情報処理装置は、
印刷データを複数に分割し、それぞれに属性情報を付与して複数の切片印刷データを生成する手段を有し、
前記印刷制御装置は、
前記切片印刷データを取得する手段と、
前記切片印刷データを記憶する手段と、
前記切片印刷データの属性情報を照合する手段と、
前記照合により前記属性情報が一致した切片印刷データに基づいて印刷データを復元する手段と、
前記復元された印刷データに基づく前記画像形成装置による印刷の制御を行う手段と、
を有し、
前記復元は、前記分割された切片印刷データの全てが揃ったときに行われることを特徴とする印刷制御システム。
【請求項４】
画像形成装置による用紙上への印刷の制御を行う印刷制御方法であって、
切片印刷データ取得手段が、印刷データを複数に分割したデータであって、それぞれに属性情報が付与された切片印刷データを取得するステップと、
切片印刷データ記憶手段が、前記切片印刷データを記憶するステップと、
属性情報照合手段が、前記切片印刷データの属性情報を照合するステップと、
印刷データ復元手段が、前記照合により前記属性情報が一致した切片印刷データに基づいて印刷データを復元するステップと、
印刷制御手段が、前記復元された印刷データに基づく前記画像形成装置による印刷の制御を行うステップと、
を含み、
前記復元は、前記分割された切片印刷データの全てが揃ったときに行われることを特徴とする印刷制御方法。
【請求項５】
画像形成装置による用紙上への印刷の制御を行う印刷制御プログラムであって、
情報処理装置に、
印刷データを暗号化した暗号データであって、属性情報が付与された暗号データを取得するステップと、
前記暗号データを複号する暗号鍵であって、属性情報が付与された暗号鍵を取得するステップと、
前記暗号データ及び前記暗号鍵を記憶するステップと、
前記暗号データの属性情報と前記暗号鍵の属性情報とを照合するステップと、
前記照合により前記属性情報が一致した暗号データと暗号鍵とに基づいて印刷データを複号するステップと、
前記複号された印刷データに基づく前記画像形成装置による印刷の制御を行うステップと、
を実行させ、
前記複号は、前記暗号データ及び前記暗号鍵の全てが揃ったときに行われることを特徴とする印刷制御プログラム。
【請求項６】
画像形成装置による用紙上への印刷の制御を行う印刷制御装置であって、
印刷データを暗号化した暗号データであって、属性情報が付与された暗号データを取得する手段と、
前記暗号データを複号する暗号鍵であって、属性情報が付与された暗号鍵を取得する手段と、
前記暗号データ及び前記暗号鍵を記憶する手段と、
前記暗号データの属性情報と前記暗号鍵の属性情報とを照合する手段と、
前記照合により前記属性情報が一致した暗号データと暗号鍵とに基づいて印刷データを複号する手段と、
前記複号された印刷データに基づく前記画像形成装置による印刷の制御を行う手段と、
を有し、
前記複号は、前記暗号データ及び前記暗号鍵の全てが揃ったときに行われることを特徴とする印刷制御装置。
【請求項７】
少なくとも１つの情報処理装置と、少なくとも１つの印刷制御装置と、少なくとも１つの画像形成装置とを含み、前記画像形成装置による用紙上への印刷の制御を行う印刷制御システムであって、
前記情報処理装置は、
印刷データを暗号化し、属性情報を付与して暗号化データを生成する手段と、
前記暗号データを複号する暗号鍵であって、属性情報が付与された暗号鍵を生成する手段と、
を有し、
前記印刷制御装置は、
前記暗号データ及び前記暗号鍵を取得する手段と、
前記暗号データ及び前記暗号鍵を記憶する手段と、
前記暗号データの属性情報と前記暗号鍵の属性情報とを照合する手段と、
前記照合により前記属性情報が一致した暗号データと暗号鍵とに基づいて印刷データを複号する手段と、
前記複号された印刷データに基づく前記画像形成装置による印刷の制御を行う手段と、
を有し、
前記複号は、前記暗号データ及び前記暗号鍵の全てが揃ったときに行われることを特徴とする印刷制御システム。
【請求項８】
画像形成装置による用紙上への印刷の制御を行う印刷制御方法であって、
暗号データ取得手段が、印刷データを暗号化した暗号データであって、属性情報が付与された暗号データを取得するステップと、
暗号鍵取得手段が、前記暗号データを複号する暗号鍵であって、属性情報が付与された暗号鍵を取得するステップと、
暗号データ及び暗号鍵記憶手段が、前記暗号データ及び前記暗号鍵を記憶するステップと、
属性情報照合手段が、前記暗号データの属性情報と前記暗号鍵の属性情報とを照合するステップと、
印刷データ複号手段が、前記照合により前記属性情報が一致した暗号データと暗号鍵とに基づいて印刷データを複号するステップと、
印刷制御手段が、前記複号された印刷データに基づく前記画像形成装置による印刷の制御を行うステップと、
を含み、
前記複号は、前記暗号データ及び前記暗号鍵の全てが揃ったときに行われることを特徴とする印刷制御方法。
【手続補正２】
【補正対象書類名】明細書
【補正対象項目名】００１１
【補正方法】変更
【補正の内容】
【００１１】
また、本発明は、画像形成装置による用紙上への印刷の制御を行う印刷制御方法であって、切片印刷データ取得手段が、印刷データを複数に分割したデータであって、それぞれに属性情報が付与された切片印刷データを取得するステップと、切片印刷データ記憶手段が、前記切片印刷データを記憶するステップと、属性情報照合手段が、前記切片印刷データの属性情報を照合するステップと、印刷データ復元手段が、前記照合により前記属性情報が一致した切片印刷データに基づいて印刷データを復元するステップと、印刷制御手段が、前記復元された印刷データに基づく前記画像形成装置による印刷の制御を行うステップと、を含み、前記復元は、前記分割された切片印刷データの全てが揃ったときに行われる。
【手続補正３】
【補正対象書類名】明細書
【補正対象項目名】００１５
【補正方法】変更
【補正の内容】
【００１５】
また、本発明は、画像形成装置による用紙上への印刷の制御を行う印刷制御方法であって、暗号データ取得手段が、印刷データを暗号化した暗号データであって、属性情報が付与された暗号データを取得するステップと、暗号鍵取得手段が、前記暗号データを複号する暗号鍵であって、属性情報が付与された暗号鍵を取得するステップと、暗号データ及び暗号鍵記憶手段が、前記暗号データ及び前記暗号鍵を記憶するステップと、属性情報照合手段が、前記暗号データの属性情報と前記暗号鍵の属性情報とを照合するステップと、印刷データ複号手段が、前記照合により前記属性情報が一致した暗号データと暗号鍵とに基づいて印刷データを複号するステップと、印刷制御手段が、前記複号された印刷データに基づく前記画像形成装置による印刷の制御を行うステップと、を含み、前記複号は、前記暗号データ及び前記暗号鍵の全てが揃ったときに行われる。